(57)【要約】【課題】省エネ時の高効率化を図り、消費電力を低減する。【解決手段】第１制御電力に基づいて作動する第１作動モードと、第１制御電力より大きい第２制御電力に基づいて作動する第２作動モードの２つの作動モードを有する負荷に対し、電力供給を行う電源装置であって、該電源装置は、第１制御電力を供給する第１電源装置１と、第２制御電力を供給する第２電源装置２と、からなり、第２電源装置２は、負荷に対する出力電圧を安定させるための電圧検出回路１４と、負荷が第１作動モードで作動する際に、電圧検出回路１４を切り離すための切離回路４と、を有する。【選択図】図２
2012070500.tif 000002
【特許請求の範囲】
【請求項１】
少なくとも、第１制御電力に基づいて作動する第１作動モードと、
前記第１制御電力より大きい第２制御電力に基づいて作動する第２作動モードの２つの作動モードを有する負荷に対し、電力供給を行う電源装置であって、
該電源装置は、前記第１制御電力を供給する第１電源装置と、前記第２制御電力を供給する第２電源装置と、からなり、
前記第２電源装置は、負荷に対する出力電圧を安定させるための電圧検出回路と、
負荷が前記第１作動モードで作動する際に、前記電圧検出回路を切り離すための切離回路と、を有することを特徴とする電源装置。
【請求項２】
該電源装置の起動時において、前記第１電源装置は前記第２電源装置より先に起動し、
前記第２電源装置は、前記第１電源装置の起動後に所定の信号を受けて起動することを特徴とする請求項１に記載の電源装置。
【請求項３】
前記第２電源装置は、前記第１電源装置より高い電圧を供給し、
前記第２電源装置から負荷への前記第２制御電力の供給時には、前記第１電源装置を休止状態とすることを特徴とする請求項１または２に記載の電源装置。
【請求項４】
前記第１電源装置は、電圧切替信号に基づいて出力電圧を前記第２電源装置よりも低い電圧に切り替える電圧切替手段を有し、
前記第２電源装置から負荷への前記第２制御電力の供給時には、前記第１電源装置を休止状態とすることを特徴とする請求項１または２に記載の電源装置。
【請求項５】
前記電圧切替信号は、前記第２電源装置が送出する該第２電源装置からの出力開始を知らせる第２電源装置出力開始信号を受けて送出されることを特徴とする請求項４に記載の電源装置。
【請求項６】
前記第１電源装置へのＡＣ電源供給を遮断するＡＣ遮断部を有し、
前記第２電源装置から負荷への前記第２制御電力の供給時には、前記ＡＣ遮断手段により前記第１電源装置を停止させることを特徴とする請求項１から５までのいずれかに記載の電源装置。
【請求項７】
前記第１電源装置は、該第１電源装置からの出力電流を制御する電流監視回路を有し、
前記電流監視回路は、出力電流が該第１電源装置の定格電流以上とならないように制御することを特徴とする請求項１から６までのいずれかに記載の電源装置。
【請求項８】
前記第１電源装置は、負荷への出力側に出力電圧を減衰させる直流抵抗部を有することを特徴とする請求項１から７までのいずれかに記載の電源装置。
【請求項９】
前記第１電源装置は、負荷に対する出力電圧を安定させるための電圧検出回路を有し、
負荷が前記第２作動モードで作動する際に、前記電圧検出回路を切り離すための切離回路と、を有することを特徴とする請求項１から８までのいずれかに記載の電源装置。
【請求項１０】
請求項１〜９のいずれかに記載の電源装置から電力を供給されることを特徴とする電子機器装置。
【請求項１１】
請求項１〜９のいずれかに記載の電源装置から電力を供給され、
前記第１制御電力に基づいて作動する省エネモードと、
前記第２制御電力に基づいて作動する画像形成モードと、を有することを特徴とする画像形成装置。
【発明の詳細な説明】
【技術分野】
【０００１】
本発明は、電源装置、電子機器装置および画像形成装置に関する。さらに詳述すると、交流電源を直流電源に変換する電源装置であって、動作時と省エネ時の電力とで負荷が変化する回路に電源を供給する電源装置およびこれを備えた電子機器装置および画像形成装置に関する。
【背景技術】
【０００２】
近年、電子機器装置には、節電のため省電力化モード（省エネモード）を備えたものが多くなっている。例えば、複写機、プリンタ、ファクシミリ、および、それらの機能を複合化した装置等の画像形成装置の場合、通常、電力制御の状態として、電源オフ状態、スタンバイ状態、スリープモード状態の大きく三つの事象に分けられる。
【０００３】
電源オフ状態は、主電源スイッチがオフの状態で画像形成装置に電源が供給されていない状態であり、スタンバイ状態は、主電源スイッチがオンの状態で、画像形成装置にＡＣ電源が供給され、内部で使用する５ＶなどのＤＣ電源を生成することでモータ・クラッチなどを用いてメカ負荷を駆動して迅速に画像形成できる状態（動作時、動作モード、画像形成モードともいう）を指している。
【０００４】
スリープ状態は、長時間未使用の状態が続いた場合やユーザが操作キーによって状態の遷移を指示した場合に、一部の限られた特定デバイスのみに電源の供給を続け、他のデバイスへの電源供給を遮断することによって、消費電力を低減させた状態（省エネ時、省エネモードともいう）である。
【０００５】
このような画像形成装置の場合、ユーザがコピー及び原稿読み取り操作を実施した時、外部ホストからプリント指示が入力された時、ＦＡＸ受信を開始した時等に、スリープモードからスタンバイモードに移行し、プリント動作を実施するものである。
【０００６】
このような画像形成装置等の電子機器には、ＡＣ電源（１００Ｖ）をＤＣ電源に変換する電源装置が搭載されており、電源装置は５Ｖなどの安定した直流電圧を供給している。例えば、図１１（Ａ）に示すように、１０Ａの直流電流を供給する電源装置９０の場合、動作時の１００％近く（９Ａ）から省エネ時の１０％以下（０〜１Ａ）の電流までと負荷範囲が広い。電源装置においては、出力電流が定格電流の１０％以下となると効率（電源効率、電力供給効率をいう）が著しく低下するため、図１１（Ａ）に示す電源装置９０の制御回路９１への供給では、効率が非常に悪いこととなる。
【０００７】
このため、例えば、図１１（Ｂ）に示すように、動作電流の小さい電源装置（１Ａ）９３と、動作用の電源装置（９Ａ）９４の２つの電源装置を設け、それぞれに適した負荷９５，９６に供給させ、動作回路９６の停止時には、電源装置９３のみから出力することで、省エネ効率を高くする方法が知られている。例えば、特許文献１には、第１の電源装置と第２の電源装置により、電子機器装置の待機時と動作時で電源を切り替える構成が開示されている。
【発明の概要】
【発明が解決しようとする課題】
【０００８】
しかしながら、実際には、電子機器装置では制御回路と動作回路が複雑に絡み合っているため、図１１（Ｂ）に示すように制御回路９５と動作回路９６とに完全に切り離すことは難しい。このため、切り離すことができない場合は、電源も分けられないこととなり、省エネ時の電源効率が低下し、消費電力が増加してしまうという問題があった。
【０００９】
そこで本発明は、電源装置の省エネ時効率を高くして消費電力を削減することができる電源装置およびこれを備えた電子機器装置および画像形成装置を提供することを目的とする。
【課題を解決するための手段】
【００１０】
かかる目的を達成するため、請求項１に記載の電源装置は、少なくとも、第１制御電力に基づいて作動する第１作動モードと、第１制御電力より大きい第２制御電力に基づいて作動する第２作動モードの２つの作動モードを有する負荷に対し、電力供給を行う電源装置であって、該電源装置は、第１制御電力を供給する第１電源装置と、第２制御電力を供給する第２電源装置と、からなり、第２電源装置は、負荷に対する出力電圧を安定させるための電圧検出回路と、負荷が第１作動モードで作動する際に、電圧検出回路を切り離すための切離回路と、を有するものである。
【００１１】
また、請求項２に記載の発明は、請求項１に記載の電源装置において、該電源装置の起動時において、第１電源装置は第２電源装置より先に起動し、第２電源装置は、第１電源装置の起動後に所定の信号を受けて起動するものである。
【００１２】
また、請求項３に記載の発明は、請求項１または２に記載の電源装置において、第２電源装置は、第１電源装置より高い電圧を供給し、第２電源装置から負荷への第２制御電力の供給時には、第１電源装置を休止状態とするものである。
【００１３】
また、請求項４に記載の発明は、請求項１または２に記載の電源装置において、第１電源装置は、電圧切替信号に基づいて出力電圧を第２電源装置よりも低い電圧に切り替える電圧切替手段を有し、第２電源装置から負荷への第２制御電力の供給時には、第１電源装置を休止状態とするものである。
【００１４】
また、請求項５に記載の発明は、請求項４に記載の電源装置において、電圧切替信号は、第２電源装置が送出する該第２電源装置からの出力開始を知らせる第２電源装置出力開始信号を受けて送出されるものである。
【００１５】
また、請求項６に記載の発明は、請求項１から５までのいずれかに記載の電源装置において、第１電源装置へのＡＣ電源供給を遮断するＡＣ遮断部を有し、第２電源装置から負荷への第２制御電力の供給時には、ＡＣ遮断手段により第１電源装置を停止させるものである。
【００１６】
また、請求項７に記載の発明は、請求項１から６までのいずれかに記載の電源装置において、第１電源装置は、該第１電源装置からの出力電流を制御する電流監視回路を有し、電流監視回路は、出力電流が該第１電源装置の定格電流以上とならないように制御するものである。
【００１７】
また、請求項８に記載の発明は、請求項１から７までのいずれかに記載の電源装置において、第１電源装置は、負荷への出力側に出力電圧を減衰させる直流抵抗部を有するものである。
【００１８】
また、請求項９に記載の発明は、請求項１から８までのいずれかに記載の電源装置において、第１電源装置は、負荷に対する出力電圧を安定させるための電圧検出回路を有し、負荷が第２作動モードで作動する際に、電圧検出回路を切り離すための切離回路と、を有するものである。
【００１９】
また、請求項１０に記載の電子機器装置は、請求項１〜９のいずれかに記載の電源装置から電力を供給されるものである。
【００２０】
また、請求項１１に記載の画像形成装置は、請求項１〜９のいずれかに記載の電源装置から電力を供給され、第１制御電力に基づいて作動する省エネモードと、第２制御電力に基づいて作動する画像形成モードと、を有するものである。
【発明の効果】
【００２１】
本発明によれば、省エネ時の高効率化を図り、消費電力を低減することができる。
【図面の簡単な説明】
【００２２】
【図１】本発明に係る電源装置の一実施形態を示す概略構成図である。
【図２】電源装置の回路構成図（１）である。
【図３】電源装置の各信号等のタイミングチャート（１）である。
【図４】信号絶縁回路の構成例である。
【図５】電圧検出回路の構成例である。
【図６】電源装置の各信号等のタイミングチャート（２）である。
【図７】電源装置の回路構成図（２）である。
【図８】電源装置の回路構成図（３）である。
【図９】電源装置の回路構成図（４）である。
【図１０】電源装置の回路構成図（５）である。
【図１１】従来の電源装置の説明図である。
【発明を実施するための形態】
【００２３】
以下、本発明に係る構成を図１から図１０に示す実施の形態に基づいて詳細に説明する。
【００２４】
（電源装置の概要）
本発明に係る電源装置は、少なくとも、第１制御電力に基づいて作動する第１作動モード（省エネモード）と、第１制御電力より大きい第２制御電力に基づいて作動する第２作動モード（動作モード）の２つの作動モードを有する負荷（画像形成装置の制御回路等）に対し、電力供給を行う電源装置であって、該電源装置は、第１制御電力を供給する第１電源装置と、第２制御電力を供給する第２電源装置と、からなり、第２電源装置は、負荷に対する出力電圧を安定させるための電圧検出回路と、負荷が第１作動モードで作動する際に、電圧検出回路を切り離すための切離回路（検出遮断スイッチ）と、を有するものである。
【００２５】
詳しくは、２系統の電源により１つの負荷（画像形成装置の制御回路）へ電力を供給する電源装置である。ここで２系統の電源とは、一方は消費電力の小さい省エネモードで高効率となる第１電源装置であり、他方は動作時に画像制御エンジンなどへ電力を供給可能な第２電源装置である。
【００２６】
以下に詳細に述べるが、本発明に係る電源装置は、省エネ時においては負荷電流の小さいところで高効率となる第１電源装置のみ（第２電源装置は停止状態）から制御回路へ電力を供給することで省エネ時に高効率となる。この際、第２電源装置の電圧検出回路における損失を削減するため、第２電源装置における電圧検出回路を切り離すものである。また、画像制御エンジンなどを動作させる場合の動作電力を、第２電源装置から供給するものである。第２電源装置から動作電力を供給中は、第１電源装置が過負荷とならないように、第１電源装置を停止、または休止させるものである。
【００２７】
このように、本発明に係る電源装置は、２系統の電源装置から１つの回路へ電力供給した場合に、使用していない第２電源装置の電圧検出回路を切り離すことで高効率化していること、動作時に使用しない第１電源装置が過負荷などで保護停止や破損などが発生しないようにしたものである。
【００２８】
（第１の実施形態）
本実施形態に係る電源装置の回路構成図の概略を図１に示す。また、図２に図１に示す回路構成図の詳細を示す。
【００２９】
図１に示すように、本実施形態に係る電源装置は、２つの電源装置が並列接続されて構成されており、ＡＣ電源（１００Ｖ）が供給され、負荷へ５Ｖを供給するものである。なお、本実施形態では、負荷として画像形成装置の制御回路を例として説明する。
【００３０】
上述のように、一般に電源装置は定格電流に対し１０％以下の電流になると、効率が低下する。したがって、省エネモードで１０％以下の負荷となる制御回路の場合、１つの電源装置では効率が低下し、消費電力が増加してしまう。
【００３１】
そこで、本実施形態に係る電源装置は、第２電源装置２よりも出力の小さい第１電源装置１を備え、第１電源装置１から制御回路に電力供給することにより効率低下を抑え、消費電力を抑えるものである。換言すれば、第１電源装置１は、画像形成装置が軽負荷時における電力供給効率が有利な電源装置であって、本実施形態では、画像形成装置が省エネモードで動作する際に、第１電源装置１から、その制御回路へ電力を供給するものである。
【００３２】
また、第２電源装置２は、画像形成装置が画像エンジンなどを動作させて画像形成動作を実行させる際の電力供給効率が有利な電源装置であって、本実施形態では、画像形成装置が画像形成モードで動作する際に、第２電源装置２から、その制御回路へ電力を供給するものである。
【００３３】
また、図３は、電源装置にＡＣ電源が供給されてから（１）起動時、（２）省エネモードから動作モードへの切替時、（３）動作モードから省エネモードへの切替時、のそれぞれの状態における各電源装置１，２の出力、各信号の送出等のタイミングチャートを示している。以下、図２および図３を参照しつつ、本実施形態に係る電源装置の動作について説明する。
【００３４】
[起動時]
先ず、電源投入から起動まで（起動時）について説明する。本実施形態では、リレー（第１継電器、ＲＹ１）３は、後述するリレー起動信号５を受けて起動するため、電源装置に供給されるＡＣ電源は第１電源装置１に供給される。ＡＣ電源が供給されると、第１電源装置１は起動し、制御回路へ５Ｖを供給する（Ｔ１）。
【００３５】
また、この際、画像形成装置は、省エネモードで待機している（Ｔ１〜Ｔ２）。このように、省エネモードなどの軽負荷時には、第１電源装置1から供給することにより省エネ時の消費電力を少なくすることができる。
【００３６】
電源装置は、出力電圧５Ｖを安定して供給するため常時電圧を検出するための電圧検出回路を有し、常時接続されるものであるが、本実施形態に係る電源装置においては、停止している第２電源装置２の電圧検出回路１４は、検出遮断スイッチ（切離回路）４により切り離されている。
【００３７】
ここで、上述のように、省エネモードでは、第１電源装置１から電力供給を行い、第２電源装置２は停止させている。しかしながら、第２電源装置２が停止しており、第２電源装置２の電圧検出回路１４が不要な状態にあっても、第２電源装置２の電圧検出回路１４が接続されている状態では、この電圧検出回路１４で電力を消費してしまい、効率が低下し、消費電力が増えてしまうという問題があった。そこで、第２電源装置２の停止時には、電圧検出回路１４を切り離すことにより、省エネ時の消費電力を低減し、省エネ効率を改善するものである。
【００３８】
[省エネモードから動作モードへの移行]
次に、省エネモードから動作モードへの移行について説明する。動作モードへの移行に際しては、リレー起動信号（ＲＹ１起動信号）５により、リレー３を起動（接続）させて、ＡＣ電源を第２電源装置２へ供給し、第２電源装置２から制御回路へ電力を供給するようにする（Ｔ３）。
【００３９】
この際、単に、第２電源装置２へ電力供給を行うだけとすると、第１電源装置１および第２電源装置２の双方から制御回路へ電力を供給している状況となり、この状態において動作電力を供給すると、第１電源装置１の定格範囲を超える（オーバーロード）おそれがあり、図示しない保護回路等の動作による停止、部品の破損などのおそれがある。このため、第１電源装置１を停止または休止させておくことが必要となる。
【００４０】
そこで、本実施形態では、第１電源装置１を停止または休止させて、第２電源装置２から動作電流を供給させるため、先ず、第２電源装置２の起動と同時に電圧検出回路１４を接続し、第２電源装置出力開始信号９を制御回路へ送信し（Ｔ４）、その後、第１電源装置１の出力電圧を５Ｖから４．５Ｖに低減させるようにしている（Ｔ５）。
【００４１】
この際、第２電源装置２の起動前に、第１電源装置１の電圧を４．５Ｖに切替えてしまうと、出力電圧が４．５Ｖに低下してしまうこととなる。また、第２電源装置２の起動時間は、装置温度やＡＣ電圧などによって影響されるため、一定ではない。そこで、本実施形態では、第２電源装置出力開始信号９を受けてから送出される出力電圧切替信号（電圧切替信号）６を受けてから、第１電源装置１の出力電圧を５Ｖから４．５Ｖに低減させるようにしている（Ｔ５）。
【００４２】
なお、低減させる電圧値は、第２電源装置２の５Ｖよりも低い値であれば良く、上記の例に限られるものではないが、あまりに低い電圧（例えば、１Ｖ）とすると、切り替え時に電圧の落込みが生じるおそれがあり、当該落ち込み電圧が各回路の制御電圧下限を下回る場合、当該回路がリセットされてしまう問題があるため好ましくない。
【００４３】
このように、第１電源装置１の電圧が４．５Ｖに切り替えられると、制御回路への動作電力の供給は、第２電源装置２の５Ｖからのみ供給されることとなり、第１電源装置１を休止状態とすることができる。これにより、制御回路は動作モードとなり、消費電力が１０Ａとなる（Ｔ６）。
【００４４】
[動作モードから省エネモードへの移行]
最後に、動作モードから省エネモードへの移行について説明する。先ず、制御回路の消費電力を、動作電力から１Ａ以下に抑えるため、動作電流を１Ａとする（Ｔ７）。
【００４５】
次に、出力電圧切替信号６により第１電源装置１の休止状態を解除させ、第１電源装置１および第２電源装置２から制御回路に対し電力を供給する。具体的には、第１電源装置１の出力電圧を４．５Ｖから５Ｖとする（Ｔ８）。
【００４６】
また、リレー起動信号５を停止し（Ｔ８）、第２電源装置２を停止させて第１電源装置１から制御回路に対し電源が供給されるようにする。これにより、起動時の状態（省エネモード）に戻り、省エネに優位な状態となる（Ｔ９，Ｔ１０）。
【００４７】
以上説明した本実施形態に係る電源装置によれば、画像形成装置の省エネ時の高効率化を図り、消費電力を低減することが可能となる。なお、図２に示す回路構成は一例にであって、これに限られるものではない。
【００４８】
なお、各電源装置１，２が有する信号絶縁回路１３としては、例えば、図４（Ａ）に示すようにフォトカプラ１６を用いることができる。フォトカプラ１６の内部には発光素子１５と受光素子１７が構成され、当該発光素子１５および受光素子１７により、電気的信号による接続を絶縁するものである。また、図４（Ｂ）に示すうに、フォトカプラ１６に替えて信号絶縁ＩＣを用いるようにしても良い。
【００４９】
また、各電源装置１，２が有する電圧検出回路１４としては、例えば、図５に示すようにシャントレギュレータ１８を用いることができる。シャントレギュレータ１８の内部には、オペアンプ（比較回路）２０、基準電圧源２１、出力トランジスタ１９が構成され、基準電圧源２１と出力電圧とをオペアンプ２０で比較して、出力トランジスタ１９にて信号出力するものである。
【００５０】
（第２の実施形態）
以下、本発明に係る電源装置の他の実施形態について説明する。なお、上記実施形態と同様の点についての説明は省略する。上記実施形態では、第１電源装置１の出力電圧を５Ｖから４．５Ｖへ切り替える例について説明したが、画像形成装置などの電圧範囲が４．５Ｖ〜５Ｖと広い場合は、第１電源装置１の出力電圧を当初（起動時）から４．５Ｖとしていても良い。
【００５１】
第１電源装置１の出力電圧を当初から４．５Ｖとする場合の動作例について説明する。この場合、第１電源装置１からは４．５Ｖが出力され、第２電源装置２からは５Ｖが供給される状態となるので、第２電源装置２が起動すると第１電源装置１より第２電源装置２の電圧が上回ることとなり、自ずと第２電源装置２から出力することとなる。
【００５２】
本実施形態に係る電源装置の動作について、図６に示す、（１）起動時、（２）省エネモードから動作モードへの切替時、（３）動作モードから省エネモードへの切替時、のそれぞれの状態における各電源装置１，２の出力、各信号の送出等のタイミングチャートを用いて説明する。なお、図３と同様の点については説明を省略する。
【００５３】
[起動時]
ＡＣ電源が供給されると第１電源装置１が起動し、制御回路へ４．５Ｖを供給する（Ｔ１）。これにより、画像形成装置は省エネモードで駆動する（Ｔ２）。この際、停止している第２電源装置２の電圧検出回路１４は、検出遮断スイッチ４により切り離されている。
【００５４】
[省エネモードから動作モードへの移行]
省エネモードから動作モードへの移行は、先ず、リレー起動信号５により、第２電源装置２を起動させる（Ｔ３）。次に、第２電源装置２の起動と同時に、電圧検出回路１４が接続され、第２電源装置出力開始信号９が制御回路へ送信される（Ｔ４）。
【００５５】
上述のように、第２電源装置２の起動時間は温度やＡＣ電圧などによって影響する。ここで、第２電源装置２の起動前に、動作電流を引いてしまうと、第１電源装置１から動作電流が流れてしまい、保護停止してしまうなどの問題が生じる。そこで、第２電源装置起動信号９を受けてから動作電流を供給するようにしている。第２電源装置起動信号９を受けてから制御回路は動作モードとなり、１０Ａを消費する（Ｔ６）。
【００５６】
[動作モードから省エネモードへの移行]
動作モードから省エネモードへの移行は、動作電流を１Ａとし（Ｔ７）、リレー起動信号５を遮断し、第２電源装置２を停止させる（Ｔ８）。これにより再度省エネモードとなる（Ｔ９，Ｔ１０）。
【００５７】
（第３の実施形態）
上記第１の実施形態では、第１電源装置１の出力電圧を５Ｖから４．５Ｖへ切り替える例について説明したが、これに替えて、第１電源装置１を一旦停止させるようにしても良い。
【００５８】
本実施形態に係る電源装置の回路構成図を図７に示す。図７に示すように、第１電源装置１側にＲリレー（第２継電器、ＲＹ２、ＡＣ遮断部）２２を設け、第１電源装置１へのＡＣ電源の供給を、リレー（ＲＹ２）遮断信号２３により停止させるようにしても良い。
【００５９】
（第４の実施形態）
また、上記第１の実施形態では、第１電源装置１の出力電圧を５Ｖから４．５Ｖへ切り替える例について説明したが、これに替えて、第１電源装置１の出力電流が１Ａを超えないように制御するようにしても良い。
【００６０】
本実施形態に係る電源装置の回路構成図を図８に示す。図８に示すように、第１電源装置１の出力部に電流監視回路１１を設け、この電流監視回路１１と、これに接続されるフォトカプラ２４により、第１電源装置１からの供給電流を監視し、供給電流が１Ａを超えないように制御するようにしても良い。
【００６１】
（第５の実施形態）
また、上記第１の実施形態では、第１電源装置１の出力電圧を５Ｖから４．５Ｖへ切り替える例について説明したが、これに替えて、第１電源装置１の出力電流に比例して出力電圧が減衰するようにしても良い。
【００６２】
本実施形態に係る電源装置の回路構成図を図９に示す。図９に示すように、第１電源装置１の出力側に直流抵抗（直流抵抗部）１２を設け、この直流抵抗１２により、第１電源装置１からの供給電流が増えると、出力電圧が低下するようにしても良い。
【００６３】
（第６の実施形態）
また、上記実施形態において、第１電源装置１の電圧検出回路１４に切り離し回路１０を設けることも好ましい。上述のように、動作時には第２電源装置２から電力を供給しているが、例えば、図１０に示すように、第１電源装置１の電圧検出回路１４に切り離し回路１０を設けることにより、動作時の消費電力を抑えることが可能となる。
【００６４】
（第７の実施形態）
また、上記実施形態では、第２電源装置出力開始信号９を用いたが、これを用いないこととしても良い。例えば、第２電源装置２が動作してから第１電源装置１が動作を開始するまでの時間を、温度や入力電圧などを振って測定し、その最長時間が経過後に、第１電源装置１の出力電圧を４．５Ｖに切り替える（または、第２の実施形態の場合は、動作電流を流す）こととしても良い。本実施形態は、切り替え時間が長くても問題が生じない場合において好適である。
【００６５】
以上説明した本発明に係る電源装置は、多くの電子機器装置の電源装置として用いることができ、特に、複写機、プリンタ、ファクシミリ、および、それらの機能を複合化した装置等の画像形成装置の電源装置として用いることが好適である。
【００６６】
尚、上述の実施形態は本発明の好適な実施の例ではあるがこれに限定されるものではなく、本発明の要旨を逸脱しない範囲において種々変形実施可能である。
【符号の説明】
【００６７】
１  第１電源装置
２  第２電源装置
３  リレー（第１継電器）
４  検出遮断スイッチ
５  リレー起動信号
６  出力電圧切替信号
７  一次回路
８  トランス
８ａ  トランスの補助巻き線
９  第２電源装置出力開始信号
１０  切り離し回路
１１  電流監視回路
１２  直流抵抗
１３  信号絶縁回路
１４  電圧検出回路
１５  発光素子
１６  フォトカプラ
１７  受光素子
１８  シャントレギュレータＩＣ
１９  出力トランジスタ
２０  オペアンプ（比較回路）
２１  基準電圧源
２２  リレー（第２継電器）
２３  第２リレー遮断信号
２４  フォトカプラ
Ｄ１〜Ｄ５  ダイオード
Ｒ１〜Ｒ５  抵抗
【先行技術文献】
【特許文献】
【００６８】
【特許文献１】特許第３８２２７７９号公報
【図１】
2012070500.tif 000003
【図２】
2012070500.tif 000004
【図３】
2012070500.tif 000005
【図４】
2012070500.tif 000006
【図５】
2012070500.tif 000007
【図６】
2012070500.tif 000008
【図７】
2012070500.tif 000009
【図８】
2012070500.tif 000010
【図９】
2012070500.tif 000011
【図１０】
2012070500.tif 000012
【図１１】
2012070500.tif 000013